(57)【特許請求の範囲】
【請求項１】
洗い場パンの床面が脱衣室の床面とほぼ同じ高さに形成されている浴室のドア下枠であって、ドアとの係合部を有して板状に形成されている上面部と、洗い場パンの立ち下げ壁に当接させるため上面部の片側に上面部と直交状に形成されている側面部と、この側面部の下端と上面部の脱衣室側との間に傾斜状に形成されている傾斜面部とでなる縦断面略直角三角形状の枠部と、この枠部と一体状に形成されて上記の脱衣室の床面に載置される延長部とを備えて形成されていることを特徴とする浴室のドア下枠。
【請求項２】
請求項１記載の浴室のドア下枠であって、洗い場パンの立ち下げ壁に側面部をネジ止めするため、ネジ止め作業用の開口部が傾斜面部にその傾斜方向に延びて長孔状に形成されていることを特徴とする浴室のドア下枠。
【請求項３】
請求項１又は２記載の浴室のドア下枠であって、ドアの縦枠が嵌め付けられるベース部材を両端部に起立状に備えて形成されていることを特徴とする浴室のドア下枠。
【発明の詳細な説明】
【０００１】
【発明の属する技術分野】
本発明は、浴室のドア下枠に関し、更に詳しくは洗い場パンの床面を脱衣室の床面とほぼ同じ高さに形成し、両床面間の段差を解消したバリアフリー浴室の出入口部に設置するドア下枠に関するものである。
【０００２】
【従来の技術】
従来この種の浴室のドア下枠としては、例えば排水溝を兼用するよう樋形状に形成されているものがある（例えば特許文献１参照）。
又この種の浴室の出入口構造としては、ドア下枠を板状に形成して平面化し、洗い場パンの延長部に重ね合わせて水密状に設けることを内容とする、本出願人の提案に係る先行事例がある（未公開特許出願１参照）。
【０００３】
【特許文献１】
特開２０００ー８７１６号公報
【未公開特許出願１】
特願２００１ー１６０７８５号
【０００４】
【発明が解決しようとする課題】
特許文献１に記載のドア下枠の場合は、上記の通り、樋形状に形成されているため、ドア下枠の構造や形態が複雑化し、構成部品数の増加を招き、コストが割り高になり、又シールド箇所が増えて施工に手間暇がかかり易かった。又この従来品の場合は、樋形状のため設置高さを大きく取られ、その分、ドアの高さや天井の高さが低く抑えられることになる、という問題があった。
そこで本出願人は、これらの問題を解決できるよう、未公開特許出願１に記載の発明を提案した。しかしながらこの提案に係るドア下枠は、板状に形成されているため、外力の作用を受けて捩れや歪み等の変形を来たす惧れがあった。
【０００５】
本発明は、このような従来技術の問題点に鑑み、提案されたものである。
従って本発明の技術的課題は、捩れ等の変形を来たすことを防止できるよう形成した浴室のドア下枠を提供することにある。
【０００６】
【課題を解決するための手段】
本発明は、上記の課題を解決するために、次のような技術的手段を採る。
【０００７】
即ち本発明は、図１等に示されるように、洗い場パン１の床面１ａが脱衣室３の床面３ａとほぼ同じ高さに形成されている浴室のドア下枠であって、ドア２との係合部４を有して板状に形成されている上面部１３と、洗い場パン１の立ち下げ壁１ｃに当接させるため上面部１３の片側に上面部１３と直交状に形成されている側面部１４と、この側面部１４の下端と上面部１３の脱衣室３側との間に傾斜状に形成されている傾斜面部１５とでなる縦断面略直角三角形状の枠部１６と、この枠部１６と一体状に形成されて上記の脱衣室３の床面３ａに載置される延長部１９とを備えて形成されていることを特徴とする（請求項１）。
【０００８】
本発明の場合、ドア２は、開き戸に限定されるものではなく、引き戸や折れ戸等が含まれる。又ここで、ドア２との係合部４とは、ドア２が引き戸や折れ戸の場合はドア２を案内するレールを、又ドア２が開き戸の場合はドア２の下部を当接させたり、下部に取り付けたパッキンを入り込ませたり、係止させる箇所を意味する。側面部１４の高さは任意であるが、床下の高さを大きくとることがないよう、例えば３０〜５０ｍｍ程度に選定される。
【０００９】
この本発明の場合は、洗い場パン１の立ち下げ壁１ｃに側面部１４をネジ止めするため、ネジ止め作業用の開口部１７が傾斜面部１５にその傾斜方向に延びて長孔状に形成されているのが好ましい（請求項２）。
【００１０】
なぜならこれによると、捩れ等の変形に耐える強度を有しながら、洗い場パン１の立ち下げ壁１ｃに固定する作業を側方から容易にできるからである。本発明の場合、開口部１７の大きさ、位置等は任意である。
【００１１】
又本発明の場合は、図２、図３に示されるように、ドア２の縦枠９が嵌め付けられるベース部材２０を両端部に起立状に備えて形成されているのが好ましい（請求項３）。
【００１２】
なぜならこれによると、ベース部材２０に嵌め込むことで縦枠９を立設でき、縦枠９の設置作業を容易化できるからである。
【００１３】
【発明の実施の形態】
以下、本発明の好適な一実施形態を添付図面に従って説明する。
【００１４】
この本発明は、洗い場パン１の床面１ａが脱衣室３の床面３ａとほぼ同じ高さに形成されている浴室の出入口に設けられるものである。１３は、ドア２との係合部４を有して板状に形成されている上面部である。又１４は、洗い場パン１の立ち下げ壁１ｃに当接させるため上面部１３の片側に上面部１３と直交状に形成されている側面部である。又１５は、この側面部１４の下端と上面部１３の脱衣室３側との間に傾斜状に形成されている傾斜面部である。本発明品は、このような上面部１３、側面部１４、傾斜面部１５とでなる縦断面略直角三角形状の枠部１６を備えて形成されている。
【００１５】
１７は、ネジ止め作業用の開口部である。この開口部１７は、洗い場パン１の立ち下げ壁１ｃに側面部１４をネジ止めするためのものであり、傾斜面部１５の適宜位置に形成されている。１８は、止水部材としてのパッキンである。この実施形態の本発明品は、側面部１４が止水部材１８を介して洗い場パン１の立ち下げ壁１ｃにネジ止めされ、脱衣室３側の延長部１９は、脱衣室３の床面３ａに載置されると共に、その適宜箇所がネジ止めされることにより設置される。
【００１６】
又２０（図２、図３参照）は、ドア２の縦枠９が嵌め付けられるベース部材である。このベース部材２０は、ドア下枠の両端部に、下端の板片部２０ａがネジ１０で止め付けられることにより起立状に設けられている。ベース部材２０の上端２０ｂは、例えば凸形状に形成され、縦枠９の開口状の下端９ａが嵌め込まれると、縦枠９とベース部材２０の表面が面一になるよう形成されている。なおベース部材２０は、この実施形態では工場内でドア下枠と共に予め洗い場パン１に取り付けられるものである。而してこの本発明の場合は、図３に示されるように、ドア２の縦枠９をベース部材２０に上方から嵌め付けることにより、簡単、迅速に施工できる。
【００１７】
【発明の効果】
以上説明したように本発明品は、三角形状の枠部と、脱衣室の床面に載置される延長部とを備えて形成されているものである。
従ってこれによれば、捩れ等の変形を来たすことがない。
【図面の簡単な説明】
【図１】  本発明のドア下枠の好適な一実施形態を示す一部を切欠した要部斜視図である。
【図２】  本発明の他の実施形態を示す一部を切欠した要部斜視図である。
【図３】  図２の本発明の施工例を説明するための一部を切欠した要部斜視図である。
【符号の説明】
１    洗い場パン
１ａ  床面
１ｃ 立ち下げ壁
２    ドア
３    脱衣室
３ａ  床面
４    係合部
１３ 上面部
１４ 側面部
１５ 傾斜面部
１６ 枠部
１９ 延長部
【図１】
0004304966.tif 000002
【図２】
0004304966.tif 000003
【図３】
0004304966.tif 000004